(57)【要約】【課題】外径が小さく、施工性に優れた複合ケーブルおよびそのコネクタ取付方法を提供する。【解決手段】最外層がシース被覆されていない複数本のケーブル線心２１，２２，２３と、中心から放射方向に延在する隔壁３３とを有し、該隔壁３３間に前記ケーブル線心２１，２２，２３を１本ずつ配置して離間させた後、前記隔壁３３と前記ケーブル線心２１，２２，２３とを複合した状態で一括してシース３５で被覆してなる。【選択図】　図１
2004095256.tif 000002
【特許請求の範囲】
【請求項１】
最外層がシース被覆されていない複数本のケーブル線心と、中心から放射方向に延在する複数個の隔壁とを有し、該隔壁間に前記ケーブル線心を１本ずつ配置して離間させた後、前記各隔壁と前記各ケーブル線心とを複合した状態で一括してシースを被覆してなる複合ケーブル。
【請求項２】
前記各ケーブル線心は、ＬＡＮ用ケーブル線心と同軸ケーブル線心とペアケーブル線心とからなることを特徴とする請求項１に記載の複合ケーブル。
【請求項３】
最外層がシース被覆されていない複数本のケーブル線心と、中心から放射方向に延在する複数個の隔壁とを有し、該隔壁間に前記ケーブル線心を１本ずつ配置して離間させた後、前記各隔壁と前記各ケーブル線心とを複合した状態で一括してシースを被覆してなる複合ケーブルのコネクタ取付方法において、
前記複合ケーブルの端部近傍の前記シースを切り取って前記各ケーブル線心を露出させる第一工程と、
露出した前記各ケーブル線心の外周に中空円筒状の樹脂製チューブを貫通させる第二工程と、
前記各樹脂製チューブの各端部を残した状態で前記シースと前記各樹脂製チューブとを一括して熱収縮チューブで被覆する第三工程と、
前記各樹脂製チューブの前記各端部にコネクタを取り付ける第四工程と、
を含むことを特徴とする複合ケーブルのコネクタ取付方法。
【発明の詳細な説明】
【０００１】
【発明の属する技術分野】
本発明は、一般住宅や集合住宅等の宅内において配線に使用するケーブルとそのコネクタ取付方法に関するものであって、特にＬＡＮ配線用ケーブルと電話用配線に使用する通信用ケーブルとテレビ配線用の同軸ケーブルをシースで一括して被覆してなる複合ケーブルと、その複合ケーブルの端末部にコネクタを取付けるコネクタ取付方法に関する。
【０００２】
【従来の技術】
近年、一般住宅においても、コンピュータなどの情報機器のハードウエア同士を互いに接続する通信ネットワークであるＬＡＮ（Ｌｏｃａｌ　Ａｒｅａ　Ｎｅｔｗｏｒｋ）で複数のコンピュータや周辺機器を接続することが行われている。
【０００３】
このＬＡＮなどの家庭用情報通信ネットワークに使用するケーブルとしては、複数本のペアケーブル線心を撚り合わせてなるＵＴＰ（Ｕｎｓｈｉｅｌｄｅｄ　Ｔｗｉｓｔｅｄ−ｐａｉｒ：非シールド対撚り線）ケーブルが代表的となっている。このＵＴＰケーブルは、通常、２本の絶縁線心を撚り合わせて対にして、４対をまとめてシース被覆して形成されている。
【０００４】
また、一般住宅や集合住宅における他のケーブル配線としては、映像伝送用の同軸ケーブルや電話やファクシミリの回線に使用する電話用ケーブルの需要が高くなっており、宅内配線における一般住宅や集合住宅において、これらの各ケーブルを布設する際には、図６に示すようなＵＴＰケーブルを含む複合ケーブルが配線されていた。
【０００５】
図６には、従来の宅内配線に使用する複合ケーブルの端面図が示されている。
図において、１は、従来の複合ケーブルであって、ＵＴＰケーブル２と同軸ケーブル３と、ペアケーブル４との３種類のケーブルを撚り合わせた構成となっている。そして、これらのＵＴＰケーブル２、同軸ケーブル３、ペアケーブル４を押え巻きテープ５で一括して押え巻き処理して、さらにシース６で一括して被覆して形成されている。そして、この複合ケーブル１内の３種類のケーブルの空隙には、介在物７が充填されている状態となっている。
【０００６】
ＵＴＰケーブル２は、家庭用情報通信ネットワーク等のデータ伝送に使用するＬＡＮ用ケーブルであって、２本の導体を各々絶縁体で被覆して撚り合わせて対にした導体対８が４本撚り合わせられていて、該撚り合わせた４本の導体対８をシース９で被覆してなっている。
【０００７】
そして、このＵＴＰケーブル２と隣り合う同軸ケーブル３は、テレビの放送信号や衛星放送受信に使用するケーブルであって、内部導体１０を絶縁体１１で被覆して、該絶縁体１１の外周を覆うように外部導体１２が設けられている。そして、この外部導体１２を覆うようにシース１３が施されている状態となっている。
【０００８】
また、ペアケーブル４は、電話やファクシミリ等の電話回線に使用するケーブルであって、２本の導体を各々絶縁体で被覆してなる導体対１４を３本設けて、該３本の導体対１４を一括してシース１５で被覆してなっている。
【０００９】
【発明が解決しようとする課題】
このように、種類の異なる宅内配線用の複数のケーブルを１本のケーブルとすることで、一般家庭や集合住宅におけるケーブル布設作業の作業性は向上したが、次のような問題があった。
【００１０】
すなわち、前記宅内用複合ケーブル１は、ＵＴＰケーブル２、同軸ケーブル３、ペアケーブル４共に最外層がシース９，１３，１５によって被覆されていて、かつ、これら３種類を一括してなる複合ケーブル１の最外層もシース６で被覆されていたので、複合ケーブル１を製造するにあたっての製造コストが高価になってしまうほか、複合ケーブル１の外径が大きくなってしまい、複合ケーブル１の可撓性も悪いという問題があった。
【００１１】
また、前記複合ケーブル１は、ＵＴＰケーブル２、同軸ケーブル３、ペアケーブル４の各ケーブルの最外層にシース９，１３，１５が被覆されていたので、複合ケーブル１の重量が重くなってしまい、前記複合ケーブル１を配線する際における施工性が悪くなってしまっていた。
【００１２】
このため、本願発明者は、複合ケーブル１の外径を小さくし、コスト削減を図るために次のような複合ケーブルを考案し、検討してみた。その考案し、検討した複合ケーブルは、ＵＴＰケーブル２、同軸ケーブル３、ペアケーブル４の各ケーブルの最外層にシース９，１３，１５による被覆を施さずに、これら３本のケーブルを撚り合わせて、この撚り合わせたケーブルを一括してシース６で被覆した構成となっていた。しかしながら、このような複合ケーブルは、ＵＴＰケーブル２、同軸ケーブル３、ペアケーブル４のシース９，１３，１５をなくした分複合ケーブル１の外径を小さくすることができた反面、これらのＵＴＰケーブル２、同軸ケーブル３、ペアケーブル４が各線心間で相互干渉を起こしてしまい、宅内用複合ケーブル１としての特性が低下するという事態が生じてしまうことがわかった。
【００１３】
また、ＵＴＰケーブル２、同軸ケーブル３、ペアケーブル４の各ケーブルにシース９，１３，１５を設けない構造にすると、加締めによるコネクタの取付けが困難となってしまうことがわかった。
【００１４】
本発明は、上述した事情に鑑みてなされるもので、外径が小さく、施工性に優れた複合ケーブルおよびそのコネクタ取付方法を提供することを課題とする。
【００１５】
【課題を解決するための手段】
上記目的を達成するために、請求項１に記載の複合ケーブルは、最外層がシース被覆されていない複数本のケーブル線心と、中心から放射方向に延在する複数個の隔壁とを有し、該隔壁間に前記ケーブル線心を１本ずつ配置して離間させた後、前記各隔壁と前記各ケーブル線心とを複合した状態で一括してシースを被覆してなることを特徴としている。
このように構成することにより請求項１に記載の発明によると、複合ケーブルを構成する複数本の各ケーブル線心を１本ずつ隔壁で隔離しているので、線心同士が相互干渉することがない。また、複合ケーブルの外径を小さくすることができるので、複合ケーブルの可撓性が向上する。さらに、複合ケーブルの重量を軽量化することができるので、複合ケーブルの施工性が向上する。
【００１６】
上記目的を達成するために、請求項２に記載の複合ケーブルは、前記各ケーブル線心がＬＡＮ用ケーブル線心と同軸ケーブル線心とペアケーブル線心とからなることを特徴としている。
このように構成することにより請求項２に記載の発明によると、複合ケーブルを構成するＬＡＮ用ケーブル線心と同軸ケーブル線心とペアケーブル線心とを隔壁で離間しているので、一般家庭や集合住宅におけるＬＡＮ用ケーブルや通信用ケーブルが相互干渉を起こすことがなく、かつ、最大外径を小さくすることができるので、可撓性に優れ、住宅等に複合ケーブルを配線する施工性に優れた複合ケーブルを提供することができる。
【００１７】
上記目的を達成するために、請求項３に記載の複合ケーブルのコネクタ取付方法は、最外層がシース被覆されていない複数本のケーブル線心と、中心から放射方向に延在する複数個の隔壁とを有し、該隔壁間に前記ケーブル線心を１本ずつ配置して離間させた後、前記各隔壁と前記各ケーブル線心とを複合した状態で一括してシースを被覆してなる複合ケーブルのコネクタ取付方法において、前記複合ケーブルの端部近傍の前記シースを切り取って前記各ケーブル線心を露出させる第一工程と、露出した前記各ケーブル線心の外周に中空円筒状の樹脂製チューブを貫通させる第二工程と、前記各樹脂製チューブの各端部を残した状態で前記シースと前記各樹脂製チューブとを一括して熱収縮チューブで被覆する第三工程と、前記各樹脂製チューブの前記各端部にコネクタを取り付ける第四工程と、を含むことを特徴としている。
このように第一〜第四工程を含むことにより、各ケーブル線心にコネクタを取付けることができる。また、各ケーブル線心に樹脂製チューブを貫通させた状態でコネクタ取付けするので、ケーブル線心間の相互干渉を抑制して端末処理をすることができる。
【００１８】
【発明の実施の形態】
以下、本発明に係る複合ケーブルおよびそのコネクタ取付方法の一実施の形態について説明する。
【００１９】
図１は、本発明に係る複合ケーブルの一実施の形態を示す端面図である。
図において、２０は、本発明に係る複合ケーブルである。この複合ケーブル２０は、ＬＡＮ用ケーブル線心２１と、同軸ケーブル線心２２と、ペアケーブル線心２３との３本のケーブル線心で形成されている。
【００２０】
本実施の形態におけるＬＡＮ用ケーブル線心２１としては、ＵＴＰケーブル線心が用いられている。ＬＡＮ用ケーブル線心２１は、２本の導体２４を絶縁体２５で各々被覆して撚り合わせて対にした導体対２６を４本撚り合わせて形成されている。
【００２１】
同軸ケーブル線心２２は、内部導体２７を絶縁体２８で被覆し、さらに前記絶縁体２８の外周に外部導体２９が施されて形成されている。
【００２２】
ペアケーブル線心２３は、２本の導体３０を絶縁体３１で各々被覆してなる導体対３２を３対撚り合わせた構成となっている。
【００２３】
そして、本発明に係る複合ケーブル２０は、これらのＬＡＮ用ケーブル線心２１、同軸ケーブル線心２２、ペアケーブル線心２３が、複数の隔壁３３を中心として撚り合わせられている。
【００２４】
この隔壁３３は、介在物であって、種類の異なる各線心を一定の距離に離間する役割を有している。本実施の形態においては、端面形状が略Ｙ字型になるように形成されている。そして、このような形状の隔壁３３でＬＡＮ用ケーブル線心２１、同軸ケーブル線心２２、ペアケーブル線心２３を隔離させている。この介在となる隔壁３３の材質は、誘電率の小さいポリエチレン樹脂等で形成されていて、本実施の形態における隔壁３３の厚みは、１ｍｍ程度となっている。
【００２５】
そして、このような隔壁３３と、ＬＡＮ用ケーブル線心２１と同軸ケーブル線心２２とペアケーブル線心２３とが図示のように配置されて撚り合わせられた後、押え巻きテープ３４で押え巻きされ、シース３５で被覆されて、複合ケーブル２０が形成されている。
【００２６】
このような複合ケーブル２０は、該複合ケーブル２０を形成するＬＡＮ用ケーブル線心２１、同軸ケーブル線心２２、ペアケーブル線心２３の各線心の最外層にシースが施されていない構造となっている。すなわち、これらのＬＡＮ用ケーブル線心２１、同軸ケーブル線心２２、ペアケーブル線心２３の間に隔壁３３を設けることによって、各線心間の相互干渉を防ぐことが可能となり、各線心の最外層にシースを設けることなく、各線心を絶縁させることができ、複合ケーブル２０としての外径を小さくすることができるようになる。
【００２７】
続いて、本発明に係る複合ケーブルのコネクタ取付方法の一実施の形態について説明する。
図２ないし図５には、図１に記載の本発明に係る複合ケーブル２０にコネクタ取付けする工程を示す斜視図が示されている。
【００２８】
この複合ケーブル２０にコネクタを取付けるためには、まず、図２に示すように、複合ケーブル２０の最外層であるシース３５を切り取る。図において、この複合ケーブル２０は、コネクタを取付けするために、最外層であるシース３５と押え巻きテープ３４とが複合ケーブル２０の端部から適宜の長さだけ切り取られた状態となっている。本実施の形態において、このシース３５および前記押え巻きテープ３４を切り取る長さは、端部から３０ｃｍ以上とすることが望ましい。そして、複合ケーブル２０のシース３５が適宜の長さだけ切り取られた箇所は、ＬＡＮ用ケーブル線心２１、同軸ケーブル線心２２、ペアケーブル線心２３の３本の線心が隔壁３３を中心に撚り合わせられて、外部に剥き出した状態となっている。このように、複合ケーブル２０の最外層であるシース３５を切り取ることにより、複合ケーブル２０は、ＬＡＮ用ケーブル線心２１と、同軸ケーブル２２と、ペアケーブル線心２３と、これらを離間する隔壁３３とが、剥き出しとなっている。そして、図３に示すような複合ケーブル２０のシース３５が被覆されている箇所の近傍で、前記隔壁３３を切断する（以上までが第一工程とする）。
【００２９】
そして、図３に示すように、ＬＡＮ用ケーブル線心２１、同軸ケーブル線心２２、ペアケーブル線心２３の各線心の最外層に樹脂製チューブ３６ａ，３６ｂ，３６ｃを貫通させる。この樹脂製チューブ３６ａ，３６ｂ，３６ｃは、ＰＶＣやポリエチレン等の樹脂からなっていて、中空円筒状に形成されている。ここで、４本の導体対２６を撚り合わせてなるＬＡＮ用ケーブル線心２１には、４本の導体対２６が撚り合わせられた状態で前記樹脂製チューブ３６ａが貫通されている。
【００３０】
このＬＡＮ用ケーブル線心２１を貫通する樹脂製チューブ３６ａの肉厚は、通常のシース被覆されたＵＴＰケーブルの規格に合わせて形成されていて、このＵＴＰケーブルの最外層を被覆するシースの肉厚と同じ肉厚となっている。
【００３１】
また、これと同様に、同軸ケーブル線心線心２２を貫通する３６ｂの肉厚は、通常のシース被覆された同軸ケーブルの規格に合わせて形成されていて、最外層を被覆するシースの肉厚と同じ肉厚となっている。たとえば、同軸ケーブルが、テレビ受信用のＳ−５Ｃ−ＦＢである場合には、この同軸ケーブルのシース肉厚の規格に合わせて、樹脂製チューブ３６ｂの肉厚は約１ｍｍとなっており、この樹脂製チューブ３６ｂの貫通された同軸ケーブル線心の最大外径は、Ｓ−５Ｃ−ＦＢの最大外径と同様に、約７．７ｍｍとなっている。
【００３２】
そして、ペアケーブル線心２３もこれと同様に、通常のペアケーブルのシースの肉厚と同様の肉厚を有する樹脂製チューブ３６ｃが貫通された状態となっている。
【００３３】
また、ここで、本実施の形態において３対からなるペアケーブル線心２３においては、３対のペアケーブル線心の各導体対３２それぞれに、樹脂製チューブ３６ｃが貫通された状態となっている。これは、後述するが、３対からなるペアケーブル線心３２の各導体対３２それぞれにコネクタを取付けるためである。
【００３４】
また、このＬＡＮ用ケーブル線心２１と、同軸ケーブル線心２２と、ペアケーブル線心２３の各線心に貫通する樹脂製チューブ３６ａ，３６ｂ，３６ｃは、図に示すように前記隔壁３３と接触する位置まで貫通された状態となっている（以上までが第二工程とする）。
【００３５】
そして、このようにＬＡＮ用ケーブル線心２１、同軸ケーブル線心２２、ペアケーブル線心２３に樹脂製チューブ３６ａ，３６ｂ，３６ｃが貫通された後、複合ケーブル２０に、図４に示すような熱収縮チューブ３７を貫通させて固定させる。
【００３６】
この熱収縮チューブ３７は、前記複合ケーブル２０の外径よりも大きな外径を有する中空円筒状に形成されていて、ポリオレフィン、フッ素系ポリマー、熱可塑性エラストマー等の樹脂で形成されている。
【００３７】
このような熱収縮チューブ３７を、前記複合ケーブル２０に貫通させて、前記シース３５の一部と、前記樹脂製チューブ３６ａ，３６ｂ，３６ｃの一部と、前記隔壁３３とが隠れる位置に配置する。そして、前記熱収縮チューブ３７に熱を加えて収縮させると、ＬＡＮ用ケーブル線心２１、同軸ケーブル線心２２、ペアケーブル線心２３のそれぞれに、樹脂製チューブ３６ａ，３６ｂ，３６ｃが貫通された状態で固定されるようになっている。また、図に示すように、熱収縮チューブ３７が収縮することによって、複合ケーブル２０は、内部に前記シース３５を備えている箇所よりも、ＬＡＮ用ケーブル線心２１、同軸ケーブル線心２２、ペアケーブル線心２３のそれぞれに、樹脂製チューブ３６ａ，３６ｂ，３６ｃが貫通された箇所の外径が細くなっている（以上までが第三工程とする）。
【００３８】
図５には、図４における複合ケーブル２０の端末にコネクタが取付けられた状態が示されている。
図において、ＬＡＮ用ケーブル線心２１の端部には、ＵＴＰケーブルコネクタ３８ａが、同軸ケーブル線心２２の端部には、テレビ受信用の同軸ケーブルコネクタ３８ｂが、ペアケーブル線心２３の端部には電話回線用コネクタ３８ｃがそれぞれ取付けられている。なお、前記ペアケーブル線心２３に取付けられる前記電話回線用コネクタ３８ｃは、図面構成上、ペアケーブル線心の３対のうち、１対の前記ペアケーブル線心２３だけに取付けられた状態が示されている。
【００３９】
このＵＴＰケーブルコネクタ３８ａと前記ＬＡＮ用ケーブル線心２１との取付けは、前記ＬＡＮ用ケーブル線心２１に貫通された樹脂製チューブ３６ａに前記ＵＴＰケーブルコネクタ３８ａを配置して、前記ＵＴＰケーブルコネクタ３８ａを加締めることによって取付けられる。このように、最外層がシース被覆されていない状態の前記ＬＡＮ用ケーブル線心２１に前記ＵＴＰケーブルコネクタ３８ａを取付ける際に、前記ＬＡＮ用ケーブル線心２１に樹脂製チューブ３６ａが貫通されているので、前記ＬＡＮ用ケーブル線心２１に前記ＵＴＰケーブルコネクタ３８ａを取付けることが可能となっている。
【００４０】
また、前記ＬＡＮ用ケーブル線心２１のコネクタの取付けと同様に、同軸ケーブル線心２２と同軸ケーブルコネクタ３８ｂとの取付けは、同軸ケーブル線心２２の樹脂製チューブ３６ｂ上で、同軸ケーブルコネクタ３８ｂを加締めることによって、同軸ケーブル線心２２に同軸ケーブルコネクタ３８ｂを取付けることができるようになっている。
【００４１】
また、ペアケーブル線心２３もこれと同様に、ペアケーブル線心２３の樹脂製チューブ３６ｃ上で、電話回線用コネクタ３８ｃを加締めることによって、ペアケーブル線心２３に電話回線用コネクタ３８ｃを取付けることができるようになっている（以上までが第四工程とする）。
【００４２】
なお、本実施の形態においては、３本のケーブル線心からなる複合ケーブルにおいて説明したが、これに限るものではなく、複合ケーブルを構成する線心の数が他の本数からなるものでも、本実施の形態と同様に構成することができる。
【００４３】
また、本実施の形態においては、３本のケーブル線心からなる複合ケーブルであって、隔壁が略Ｙ字型からなるものについて説明したが、これに限るものではなく、たとえば、ケーブル線心が４本からなる場合には、隔壁を略十字型等に形成させることも可能となっている。
【００４４】
【発明の効果】
本発明は、以上説明したように構成されているので、以下に記載されるような効果を奏する。
【００４５】
請求項１に記載の発明によれば、複合ケーブルを構成する複数本のケーブル線心を１本ずつ隔壁で離間しているので、各ケーブル線心をシース被覆しない状態でも各ケーブル線心が相互干渉することがなくなる。
【００４６】
また、各ケーブル線心がシース被覆されていない構成としたので、複合ケーブルの最大外径を小さく抑えることができ、可撓性に優れた複合ケーブルを提供することができる。また、各ケーブル線心がシース被覆されていないことにより、複合ケーブルの重量が軽く施工性に優れ、かつ、複合ケーブルを低コストで製造することができるようになる。
【００４７】
請求項２に記載の発明によれば、複合ケーブルを構成するＬＡＮ用ケーブル線心と同軸ケーブル線心とペアケーブル線心とを隔壁で離間しているので、一般家庭や集合住宅に配線するＬＡＮ用ケーブルや通信用ケーブルが相互干渉を起こすことがない。また、複合ケーブルの最大外径を小さくすることができたので、可撓性に優れ、住宅等に配線する際の施工性に優れた複合ケーブルを提供することができる。
【００４８】
請求項３に記載の発明によれば、複合ケーブルを構成する複数本の各ケーブル線心の端末から樹脂製チューブを貫通させて、この樹脂製チューブと複合ケーブルのシースとを一括して熱収縮チューブで固定しているので、各ケーブル線心に容易にコネクタを取付けることができる。また、各ケーブル線心に樹脂製チューブを貫通させることにより、コネクタを取付ける際に各ケーブル線心同士が相互干渉するのを防ぐことが可能となり、複合ケーブルのコネクタ取付けにおける作業性を向上させることができるようになる。
【図面の簡単な説明】
【図１】本発明に係る複合ケーブルの端面図である。
【図２】本発明に係る複合ケーブルのコネクタ取付工程（複合ケーブルのシースが切り取られた状態）を示す斜視図である。
【図３】本発明に係る複合ケーブルのコネクタ取付工程（図２における複合ケーブルの各ケーブル線心に樹脂製チューブが貫通された状態）を示す斜視図である。
【図４】本発明に係る複合ケーブルのコネクタ取付工程（図３における複合ケーブルのの樹脂製チューブとシースとが熱収縮チューブで固定された状態）を示す斜視図である。
【図５】本発明に係る複合ケーブルのコネクタ取付工程（図４の複合ケーブルにコネクタが取り付けられた状態）を示す斜視図である。
【図６】従来の複合ケーブルの端面図である。
【符号の説明】
２０…複合ケーブル
２１…ＬＡＮ用ケーブル線心
２２…同軸ケーブル線心
２３…ペアケーブル線心
３３…隔壁
３５…シース
３６ａ，３６ｂ，３６ｃ…樹脂製チューブ
３７…熱収縮チューブ
３８ａ…ＵＴＰケーブルコネクタ
３８ｂ…同軸ケーブルコネクタ
３８ｃ…電話回線用コネクタ
【図１】
2004095256.tif 000003
【図２】
2004095256.tif 000004
【図３】
2004095256.tif 000005
【図４】
2004095256.tif 000006
【図５】
2004095256.tif 000007
【図６】
2004095256.tif 000008